(57)【要約】【課題】興趣性の高い演出の鑑賞体験を鑑賞者に好適に提供する。【解決手段】配信装置が、３次元空間に配置されたキャラクタを提示するコンテンツを受信装置に配信するコンテンツ配信システムにおいて、３次元空間を鑑賞する鑑賞位置が設定され、該鑑賞位置にについてコンテンツの再生が行われて提示される。ここで、コンテンツは、演出を提供するパートとして、鑑賞位置を定めない演出を提供する第１のパートと、予め定められた鑑賞位置に対する演出を提供する第２のパートと、を少なくとも含み、第２のパートについては、設定された鑑賞位置に対する演出が提供されるよう制御が行われる。【選択図】図８
2020102053.tif 000002
【特許請求の範囲】
【請求項１】
３次元空間に配置されたキャラクタを提示するコンテンツを配信する配信装置と、配信された前記コンテンツを受信し、該コンテンツの鑑賞体験を提供する受信装置とを有するコンテンツ配信システムであって、
前記受信装置は、
前記配信装置と情報通信する第１の通信手段と、
前記コンテンツについて、前記３次元空間を鑑賞する鑑賞位置を設定する設定手段と、
前記設定手段により設定された鑑賞位置に基づく前記キャラクタの描画を含む、前記コンテンツの再生に係る処理を実行する再生手段と、
再生される前記コンテンツに係る演出を制御する演出制御手段と、
再生された前記コンテンツを提示する提示手段と、
を有し、
前記配信装置は、前記受信装置と情報通信する第２の通信手段を有し、
前記コンテンツは、演出を提供するパートとして、鑑賞位置を定めない演出を提供する第１のパートと、予め定められた鑑賞位置に対する演出を提供する第２のパートと、を少なくとも含み、
前記再生手段は、前記配信装置から開始指示が受信されたことに応じて、前記演出を提供するパートについての前記再生に係る処理を実行し、
前記演出制御手段は、前記第２のパートについて、前記設定手段により設定された鑑賞位置に対する演出を提供するよう制御する
ことを特徴とするコンテンツ配信システム。
【請求項２】
３次元空間に配置されたキャラクタを提示するコンテンツを配信する配信装置と、配信された前記コンテンツを受信し、該コンテンツの鑑賞体験を提供する受信装置とを有するコンテンツ配信システムであって、
前記受信装置は、
前記配信装置と情報通信する第１の通信手段と、
前記コンテンツについて、前記３次元空間を鑑賞する鑑賞位置を設定する設定手段と、
前記設定手段により設定された鑑賞位置に基づく前記キャラクタの描画を含む、前記コンテンツの再生に係る処理を実行する再生手段と、
再生された前記コンテンツを提示する提示手段と、
を有し、
前記配信装置は、
前記受信装置において再生される前記コンテンツに係る演出を制御する演出制御手段と、
前記受信装置と情報通信し、少なくとも前記コンテンツに係る演出の提示に必要な情報を送信する第２の通信手段と、
を有し、
前記コンテンツは、演出を提供するパートとして、鑑賞位置を定めない演出を提供する第１のパートと、予め定められた鑑賞位置に対する演出を提供する第２のパートと、を少なくとも含み、
前記再生手段は、前記配信装置から開始指示が受信されたことに応じて、前記演出を提供するパートについての前記再生に係る処理を実行し、
前記第１の通信手段は、前記演出を提供するパートを含む前記再生に係る処理の実行に伴って、前記設定手段により設定された鑑賞位置の情報を前記配信装置に送信し、
前記演出制御手段は、前記第２のパートについて、前記設定手段により設定された鑑賞位置に対する演出を提供するよう制御する
ことを特徴とするコンテンツ配信システム。
【請求項３】
前記設定手段により設定される鑑賞位置は、予め設けられた複数の鑑賞位置のうちから選択されるものであり、
前記第２のパートに係る演出は、前記複数の鑑賞位置のそれぞれについて、該演出の提示に必要な情報が設けられており、
前記再生手段は、前記第２のパートにおいて、前記設定手段により設定された鑑賞位置について設けられた前記演出の提示に必要な情報に基づいて、前記コンテンツの再生に係る処理を実行する
ことを特徴とする請求項１または２に記載のコンテンツ配信システム。
【請求項４】
前記第２のパートに係る演出は、１つの前記予め定められた鑑賞位置について、該演出の提示に必要な情報が設けられており、
前記演出制御手段は、前記予め定められた鑑賞位置と前記設定手段により設定された鑑賞位置とが異なる場合に、前記設定手段により設定された鑑賞位置に対する演出となるように、前記第２のパートに係る演出の提示に必要な情報を変更することを特徴とする請求項１または２に記載のコンテンツ配信システム。
【請求項５】
前記演出の提示に必要な情報は、前記キャラクタの挙動制御の情報を含み、
前記演出制御手段は、前記予め定められた鑑賞位置と前記設定手段により設定された鑑賞位置とが異なる場合に、前記キャラクタの挙動制御の情報を変更することで、前記設定手段により設定された鑑賞位置に対する演出の提示に必要な情報を構成する
ことを特徴とする請求項４に記載のコンテンツ配信システム。
【請求項６】
前記設定手段は、少なくとも前記第２のパートに係る演出が提示されている間、鑑賞位置の変更を行わないことを特徴とする請求項１乃至５のいずれか１項に記載のコンテンツ配信システム。
【請求項７】
前記第１のパートに係る演出は、前記設定手段により設定された鑑賞位置に応じて、前記キャラクタの提示態様が異なる演出であり、
前記第２のパートに係る演出は、前記設定手段により設定された鑑賞位置に依らず、前記キャラクタの提示態様が統一される演出である
ことを特徴とする請求項１乃至６のいずれか１項に記載のコンテンツ配信システム。
【請求項８】
前記コンテンツは、両眼立体視コンテンツであることを特徴とする請求項１乃至７のいずれか１項に記載のコンテンツ配信システム。
【請求項９】
配信装置により配信された、３次元空間に配置されたキャラクタを提示するコンテンツの鑑賞体験を提供する受信装置であって、
前記配信装置と情報通信する通信手段と、
前記コンテンツについて、前記３次元空間を鑑賞する鑑賞位置を設定する設定手段と、
前記設定手段により設定された鑑賞位置に基づく前記キャラクタの描画を含む、前記コンテンツの再生に係る処理を実行する再生手段と、
再生される前記コンテンツに係る演出を制御する演出制御手段と、
再生された前記コンテンツを提示する提示手段と、
を有し、
前記コンテンツは、演出を提供するパートとして、鑑賞位置を定めない演出を提供する第１のパートと、予め定められた鑑賞位置に対する演出を提供する第２のパートと、を少なくとも含み、
前記再生手段は、前記配信装置から開始指示が受信されたことに応じて、前記演出を提供するパートについての前記再生に係る処理を実行し、
前記演出制御手段は、前記第２のパートについて、前記設定手段により設定された鑑賞位置に対する演出を提供するよう制御する
ことを特徴とする受信装置。
【請求項１０】
配信装置により配信された、３次元空間に配置されたキャラクタを提示するコンテンツの鑑賞体験を提供する受信装置であって、
前記配信装置と情報通信する通信手段と、
前記コンテンツについて、前記３次元空間を鑑賞する鑑賞位置を設定する設定手段と、
前記設定手段により設定された鑑賞位置に基づく前記キャラクタの描画を含む、前記コンテンツの再生に係る処理を実行する再生手段と、
再生された前記コンテンツを提示する提示手段と、
を有し、
前記コンテンツは、演出を提供するパートとして、鑑賞位置を定めない演出を提供する第１のパートと、予め定められた鑑賞位置に対する演出を提供する第２のパートと、を少なくとも含み、
前記再生手段は、前記配信装置から開始指示が受信されたことに応じて、前記演出を提供するパートについての前記再生に係る処理を実行し、
前記通信手段は、
前記演出を提供するパートを含む前記再生に係る処理の実行に伴って、前記設定手段により設定された鑑賞位置の情報を前記配信装置に送信し、
第２のパートについて、前記設定手段により設定された鑑賞位置に対する演出に必要な情報を受信し、
前記再生手段は、前記第２のパートにおいて、受信された前記演出に必要な情報に基づいて前記再生に係る処理を実行する
ことを特徴とする受信装置。
【請求項１１】
コンピュータを、請求項９または１０に記載の受信装置の各手段として機能させるためのプログラム。
【発明の詳細な説明】
【技術分野】
【０００１】
本発明は、コンテンツ配信システム、受信装置及びプログラムに関し、特に両眼立体視コンテンツの配信技術に関する。
【背景技術】
【０００２】
テレビ受像機やヘッドマウンテッドディスプレイ（ＨＭＤ）等、両眼立体視を可能ならしめる機器が一般に流通しており、ユーザは、このような機器を用いることで両眼立体視コンテンツを手軽に鑑賞することが可能になってきている。特許文献１には、このような機器で鑑賞可能な３次元画像コンテンツを配信するコンテンツ配信システムが開示されている。
【先行技術文献】
【特許文献】
【０００３】
【特許文献１】特開２０１６−２１２６２２号公報
【発明の概要】
【発明が解決しようとする課題】
【０００４】
ところで、昨今では、カメラで撮影された動画や、ゲーム等のコンピュータグラフィックス（ＣＧ）が描画された画面をキャプチャした動画をリアルタイムに配信する、所謂ライブ配信が、様々なプラットフォームを用いて行われている。このようなライブ配信で提供されるコンテンツの中には、演者の表情や挙動をモーションとして検出し、これをキャラクタ等のＣＧに反映させることで、あたかもキャラクタが実在するかの如き鑑賞体験を提供するものもある。また、ライブ配信にて送信される情報が動画ストリームである態様に限らず、ＣＧに適用するモーションや音声データを鑑賞を行う装置（クライアント）に送信し、クライアントにてＣＧの描画を行い、鑑賞用の画面を生成して提示する態様でも、同様の鑑賞体験を提供することができる。
【０００５】
ここで、例えば、演者の挙動と連動するキャラクタがステージ上に配置された３次元空間を、該ステージ周囲に配置されたフロアに予め設定されたいずれかの視点位置から鑑賞可能なライブ配信を行う態様について考える。また、ステージ上のキャラクタが行うパフォーマンス等の演出は、例えばステージ上の中央で行われる等、いずれの視点位置においても均等に鑑賞可能に構成されているものとする。
【０００６】
このような態様では、視点位置による演出の見え方の違いはあるものの、クライアントの使用ユーザ（鑑賞者）に対しては概ね均質な鑑賞体験を提供することができる。一方で、鑑賞者のコンテンツに対する関心を高めるためには、複数の鑑賞者が均質に鑑賞できることを前提とした演出だけでなく、例えば特定の鑑賞者に向けた特別な演出を含めることが好適である。
【０００７】
しかしながら、上述のように、同時に複数の鑑賞者が種々の視点位置からキャラクタを鑑賞するような態様では、このような特別な演出を提供することは、かえって鑑賞者の関心を低減させる可能性もあった。より詳しくは、該演出の対象とならない視点位置から鑑賞する鑑賞者にとっては、例えば図６（ａ）に示されるように、演出が視認しづらくなることもあり、結果として、このような鑑賞者に不公平である印象を与え、コンテンツに対する関心を低減させてしまう可能性があった。
【０００８】
本発明は、上述の問題点に鑑みてなされたものであり、興趣性の高い演出の鑑賞体験を鑑賞者に好適に提供するコンテンツ配信システム、受信装置及びプログラムを提供することを目的とする。
【課題を解決するための手段】
【０００９】
前述の目的を達成するために、本発明に係るコンテンツ配信システムは、３次元空間に配置されたキャラクタを提示するコンテンツを配信する配信装置と、配信されたコンテンツを受信し、該コンテンツの鑑賞体験を提供する受信装置とを有するコンテンツ配信システムであって、受信装置は、配信装置と情報通信する第１の通信手段と、コンテンツについて、３次元空間を鑑賞する鑑賞位置を設定する設定手段と、設定手段により設定された鑑賞位置に基づくキャラクタの描画を含む、コンテンツの再生に係る処理を実行する再生手段と、再生されるコンテンツに係る演出を制御する演出制御手段と、再生されたコンテンツを提示する提示手段と、を有し、配信装置は、受信装置と情報通信する第２の通信手段を有し、コンテンツは、演出を提供するパートとして、鑑賞位置を定めない演出を提供する第１のパートと、予め定められた鑑賞位置に対する演出を提供する第２のパートと、を少なくとも含み、再生手段は、配信装置から開始指示が受信されたことに応じて、演出を提供するパートについての再生に係る処理を実行し、演出制御手段は、第２のパートについて、設定手段により設定された鑑賞位置に対する演出を提供するよう制御することを特徴とする。
【００１０】
前述の目的を達成するために、本発明に係る別のコンテンツ配信システムは、３次元空間に配置されたキャラクタを提示するコンテンツを配信する配信装置と、配信されたコンテンツを受信し、該コンテンツの鑑賞体験を提供する受信装置とを有するコンテンツ配信システムであって、受信装置は、配信装置と情報通信する第１の通信手段と、コンテンツについて、３次元空間を鑑賞する鑑賞位置を設定する設定手段と、設定手段により設定された鑑賞位置に基づくキャラクタの描画を含む、コンテンツの再生に係る処理を実行する再生手段と、再生されたコンテンツを提示する提示手段と、を有し、配信装置は、受信装置において再生されるコンテンツに係る演出を制御する演出制御手段と、受信装置と情報通信し、少なくともコンテンツに係る演出の提示に必要な情報を送信する第２の通信手段と、を有し、コンテンツは、演出を提供するパートとして、鑑賞位置を定めない演出を提供する第１のパートと、予め定められた鑑賞位置に対する演出を提供する第２のパートと、を少なくとも含み、再生手段は、配信装置から開始指示が受信されたことに応じて、演出を提供するパートについての再生に係る処理を実行し、第１の通信手段は、演出を提供するパートを含む再生に係る処理の実行に伴って、設定手段により設定された鑑賞位置の情報を配信装置に送信し、演出制御手段は、第２のパートについて、設定手段により設定された鑑賞位置に対する演出を提供するよう制御することを特徴とする。
【発明の効果】
【００１１】
このような構成により本発明によれば、興趣性の高い演出の鑑賞体験を鑑賞者に好適に提供することが可能となる。
【図面の簡単な説明】
【００１２】
【図１】本発明の実施形態に係るコンテンツ配信システムの構成を示した図
【図２】本発明の実施形態に係る配信クライアント１００及びモーションキャプチャシステム４００の機能構成を示したブロック図
【図３】本発明の実施形態に係る受信クライアント２００の機能構成を示したブロック図
【図４】本発明の実施形態に係る接続サーバ３００の機能構成を示したブロック図
【図５】本発明の実施形態に係るコンテンツ配信システムで配信されるコンテンツに係る３次元空間を例示した図
【図６】本発明の実施形態に係るコンテンツ配信システムで配信されるコンテンツの特殊演出パートにおける提示内容を説明するための図
【図７】本発明の実施形態に係るコンテンツ配信システムで配信されるコンテンツの特殊演出パートにおける演出態様を説明するための図
【図８】本発明の実施形態１に係る受信クライアント２００で行われる演出制御処理を例示したフローチャート
【図９】本発明の実施形態２に係る配信クライアント１００で行われる演出制御処理を例示したフローチャート
【発明を実施するための形態】
【００１３】
［実施形態１］
以下、添付図面を参照して実施形態を詳しく説明する。尚、以下の実施形態は特許請求の範囲に係る発明を限定するものでするものでなく、また実施形態で説明されている特徴の組み合わせの全てが発明に必須のものとは限らない。実施形態で説明されている複数の特徴うち二つ以上の特徴が任意に組み合わされてもよい。また、同一若しくは同様の構成には同一の参照番号を付し、重複した説明は省略する。
【００１４】
なお、以下に説明する一実施形態は、コンテンツ配信システムを構成する配信装置の一例としての、演者の挙動に連動したメインキャラクタを提示する、両眼立体視コンテンツのライブ配信を行うことが可能な配信クライアントと、受信装置の一例としての、該ライブ配信された両眼立体視コンテンツを鑑賞可能に構成された受信クライアントとに、本発明を適用した例を説明する。しかし、本発明は、多人数に同時に鑑賞がなされることを提示可能に構成されたコンテンツの鑑賞体験を提供することが可能な任意の機器群及びシステムに適用可能である。
【００１５】
《コンテンツ配信システムの構成》
図１は、本発明の実施形態に係るコンテンツ配信システムのシステム構成を示した図である。図示されるように、コンテンツ配信システムは、ネットワーク５００を介することで、配信クライアント１００と接続サーバ３００、接続サーバ３００と複数の受信クライアント２００の各々が通信可能に構成される。また配信クライアント１００は、モーションキャプチャシステム４００からの情報を取得可能に構成されている。
【００１６】
コンテンツ配信システムにおいて、配信クライアント１００は、演者の挙動に連動したメインキャラクタの提示及び演者が発した音声の提示を含むコンテンツの鑑賞体験を、ライブ配信として提供する。演者の挙動や音声の取得は、モーションキャプチャシステム４００により行われるものとし、配信クライアント１００は、モーションキャプチャシステム４００から、演者の挙動に係るモーションデータと音声に係る音声データとを取得するものとする。
【００１７】
なお、本実施形態ではモーションキャプチャシステム４００において挙動の計測が行われている演者が、配信するコンテンツに係るメインキャラクタの挙動と発する音声の両方を担当するものとして説明するが、これらは各々異なる演者によって行われるものであってよい。あるいは、演者によってリアルタイムに行われるものではなく、予め構成されたモーションデータや音声データを利用するものであってもよいことは言うまでもない。
【００１８】
本実施形態では受信クライアント２００は、メインキャラクタを配置した３次元空間を、両眼立体視で鑑賞可能に構成されたＨＭＤ（Head Mounted Display）型デバイスであるものとし、ライブ配信されるコンテンツは、受信クライアント２００を使用するユーザ（鑑賞ユーザ）の頭部の動きに連動して提示態様が変化する両眼立体視コンテンツであるものとして説明する。このため、本実施形態のコンテンツ配信システムでは、処理の効率化及び配信クライアント１００の演算負荷の低減を実現すべく、ライブ配信は動画ストリーミング方式でなされるのではなく、受信クライアント２００においてフレーム生成及び音声出力（コンテンツの再生）を行うために必要な情報を配信する方式で行われる。
【００１９】
コンテンツの再生に必要な情報は、リアルタイム性が要求されるような情報（演者に起因するモーションデータ、音声データ等）と、予め受信クライアント２００に格納しておき、再生時に使用するそれ以外の情報（３次元モデルデータ、楽曲データ、演出データ、実時間で演者に起因しない固定的なモーションデータ等）とに分類することができる。本実施形態のコンテンツ配信システムでは、後者の情報は、鑑賞ユーザが受信クライアント２００を用いて、鑑賞を所望するコンテンツの選択操作や決済操作を行ったことに応じて、事前に受信クライアント２００にダウンロードされて格納されるものとする。
【００２０】
受信クライアント２００には、コントローラ２４０が無線接続されており、このようなコンテンツ選択に係る操作入力や、３次元空間中の鑑賞位置（描画に用いられる視点位置）の変更操作、鑑賞ユーザによるその他の操作入力を検出可能に構成されているものとする。本実施形態のコンテンツ配信システムにおいて配信クライアント１００が提供するコンテンツは、その鑑賞体験中において、コントローラ２４０を用いた種々の操作入力が可能に構成されており、後述する通り、コントローラ２４０は該操作入力を検出可能な物理ボタン２４１を有し、受信クライアント２００と無線通信する操作入力機器であるものとする。しかしながら、本発明の実施において、受信クライアント２００とコントローラ２４０との接続方式や、コントローラ２４０の有無は、本実施形態の態様に限られるものではない。
【００２１】
なお、本実施形態では、受信クライアント２００が両眼立体視の鑑賞体験を提供可能な表示装置（表示部２２０）を備える、所謂眼鏡型のデバイスであるものとして説明するが、本発明の実施はこれに限られるものではない。即ち、受信クライアント２００は、配信されるコンテンツの鑑賞体験を提示すべく、該コンテンツの再生に係る処理を実行し、提示用の画面や音声を出力可能に構成された機器であればよく、実際にこれら画面や音声を提示する装置は、受信クライアント２００の外部に接続された機器であってもよい。
【００２２】
接続サーバ３００は、複数接続された受信クライアント２００に対して、コンテンツの安定的なライブ配信を提供するために設けられた機器である。接続サーバ３００は、接続中の受信クライアント２００の管理と、配信クライアント１００から受信クライアント２００への情報送信、及び受信クライアント２００から配信クライアント１００への情報送信の管理とを実現するために用いられる。従って、本実施形態ではこれらの処理に係る処理負荷を配信クライアント１００に課さないよう、接続サーバ３００を導入した例について説明するが、本発明の実施はこれに限られるものではない。即ち、接続サーバ３００が行う機能は、配信クライアント１００が担っていてもよく、この場合、配信クライアント１００と受信クライアント２００とは、直接的に情報のやり取りを行うよう構成される。換言すれば、本発明の実施において、配信クライアント１００と受信クライアント２００との情報通信が、機器を介して行われるものであるか否かは、発明において必須の事項ではない。
【００２３】
ネットワーク５００は、例えばインターネット等の公衆通信網やローカルエリアネットワーク（ＬＡＮ）等において、装置間の情報通信を実現するものであってよい。本実施形態ではネットワーク５００は、配信クライアント１００と接続サーバ３００の間の情報送受信と、受信クライアント２００と接続サーバ３００の間の情報送受信を、１つのネットワーク５００を介することで実現する態様について説明するが、例えば配信クライアント１００と接続サーバ３００はＬＡＮにて接続され、受信クライアント２００と接続サーバ３００とは公衆通信網にて接続される等、異なるネットワーク５００を利用して情報通信を行うものであってもよい。
【００２４】
〈配信クライアントの機能構成〉
続いて、本実施形態のコンテンツ配信システムに係る配信クライアント１００及びモーションキャプチャシステム４００の機能構成について、図２のブロック図を用いて説明する。なお、本実施形態では、配信クライアント１００は、図２に実線で示した構成を有し、破線で示した構成は有していないものとして説明する。
【００２５】
制御部１０１は、例えばＣＰＵであり、配信クライアント１００が有する各ブロックの動作を制御する。具体的には制御部１０１は、例えば記録媒体１０２に記録されている各ブロックの動作プログラムや、コンテンツのライブ配信を行うアプリケーション（配信アプリケーション）のプログラムを読み出し、メモリ１０３に展開して実行することにより各ブロックの動作を制御する。
【００２６】
記録媒体１０２は、例えば不揮発性メモリやＨＤＤ等の、恒久的にデータを保持可能な記録装置である。記録媒体１０２は、配信クライアント１００が有する各ブロックの動作プログラム及び配信アプリケーションのプログラムに加え、各ブロックの動作において必要となるパラメータ等の情報を記憶する。メモリ１０３は、例えば揮発性メモリ等の一時的なデータ記憶に使用される記憶装置である。メモリ１０３は、各ブロックの動作プログラムの展開領域としてだけでなく、各ブロックの動作において出力されたデータ等を一時的に記憶する格納領域としても用いられる。
【００２７】
取得部１０４は、本実施形態のコンテンツ配信システムにおいて鑑賞体験が提供されるコンテンツについて、メインキャラクタに関するモーションデータ及び音声データを取得する。上述したように、メインキャラクタに関するモーションデータ及び音声データは、演者が装着した不図示のセンサやマイクを用いて、モーションキャプチャシステム４００によって取得、及び配信クライアント１００への出力がなされるものである。モーションキャプチャシステム４００の機能構成は、図２に簡単に示されるが、演者に装着されたセンサに基づいて、演者の挙動（演者の身体の部位ごとの変化）を検出する検出部４０１と、マイクにより集音された演者の発した音声を取得する音声取得部４０２と、これらの情報を、配信クライアント１００及び受信クライアント２００にて利用可能なデータ形式に変換する変換部４０３とを含む。またモーションキャプチャシステム４００は、変換部４０３により変換されて生成された、演者の挙動や発した音声と対応するモーションデータ及び音声データを配信クライアント１００に対して出力する出力部４０４を有する。本実施形態では簡単のため、モーションキャプチャシステム４００は配信クライアント１００のインタフェースとして機能するものとし、固有の制御装置等を有しないものとして説明するが、独立したデバイスとして、制御装置等を有し、その動作が制御されるものであってもよいことは言うまでもない。
【００２８】
配信部１０５は、本実施形態のコンテンツ配信システムにおいて鑑賞体験が提供されるコンテンツのライブ配信を制御する。より詳しくは、配信部１０５は、ライブ配信を行う時間帯において、該コンテンツに係る鑑賞要求を行って接続サーバ３００に接続している受信クライアント２００に対して送信する情報を適宜構成し、送出する処理を行う。また配信部１０５は、コンテンツの鑑賞に係り受信クライアント２００において実行する必要がある処理について、その開始命令等を必要なタイミングで送出するよう制御する。
【００２９】
通信部１０６は、配信クライアント１００が有する外部装置との通信インタフェースである。通信部１０６は、ネットワーク５００（有線・無線を問わない）を介して外部装置と接続し、データの送受信を可能とすることができる。通信部１０６は、例えば送信対象として入力された情報を所定の形式のデータに変換し、ネットワーク５００を介して接続サーバ３００等の外部装置に送信する。また通信部１０６は、例えばネットワーク５００を介して外部装置から情報を受信すると、該情報を復号し、メモリ１０３に格納する。
【００３０】
〈受信クライアントの機能構成〉
次に、本実施形態のコンテンツ配信システムに係る受信クライアント２００の機能構成について、図３のブロック図を用いて説明する。なお、受信クライアント２００の機能構成の説明において、配信クライアント１００が有する構成と同様の機能を実現する構成については、配信クライアント１００の構成と峻別するために、「受信」との接頭文字を付して示すものとする。ここで、接頭文字として付す「受信」は、単に受信クライアント２００の一構成であることを示すものであり、説明するブロックの機能を限定する用途で用いるものではない。また、本実施形態では、受信クライアント２００は、図３に実線で示した構成と破線で示した構成の両方を有しているものとして説明する。
【００３１】
受信制御部２０１は、例えばＣＰＵであり、受信クライアント２００が有する各ブロックの動作を制御する。具体的には受信制御部２０１は、例えば受信記録媒体２０２に記録されている各ブロックの動作プログラムや、ライブ配信されたコンテンツの鑑賞体験を提供するアプリケーション（鑑賞アプリケーション）のプログラムを読み出し、受信メモリ２０３に展開して実行することにより各ブロックの動作を制御する。
【００３２】
受信記録媒体２０２は、例えば不揮発性メモリやＨＤＤ等の、恒久的にデータを保持可能な記録装置である。受信記録媒体２０２は、受信クライアント２００が有する各ブロックの動作プログラム及び鑑賞アプリケーションのプログラムに加え、各ブロックの動作において必要となるパラメータ等の情報を記憶する。受信メモリ２０３は、例えば揮発性メモリ等の一時的なデータ記憶に使用される記憶装置である。受信メモリ２０３は、各ブロックの動作プログラムの展開領域としてだけでなく、各ブロックの動作において出力されたデータ等を一時的に記憶する格納領域としても用いられる。
【００３３】
設定部２０４は、ライブ配信されたコンテンツの鑑賞に係り、対応する３次元空間を鑑賞する鑑賞位置を設定する。鑑賞位置は、該３次元空間を描画して両眼立体視用の画像群を生成する際の基準となる視点位置に対応するものである。本実施形態では、図５に示されるように、３次元空間５１０内に予め定められた複数の鑑賞位置５０１ａ〜ｆのうちから、鑑賞ユーザが所望する鑑賞位置の選択操作を受け付け、それを設定するものとして説明するが、本発明の実施はこれに限られるものではない。鑑賞位置は、鑑賞ユーザによる選択操作に応じて設定されるものである必要はなく、コンテンツの鑑賞にあたり、例えば先着順や抽選によって設定部２０４によって割り当てられて設定されるものであってもよい。また本実施形態では、図５に示したような複数の鑑賞位置のうちから１つを選択するものとして説明するが、本発明の実施にあたり鑑賞位置は、例えば鑑賞ユーザによる視点移動操作や身体移動操作に応じて、任意の位置に変更可能に構成されていてもよい。
【００３４】
再生制御部２０５は、接続サーバ３００を介して配信クライアント１００から受信した情報を含む、コンテンツの再生に必要な情報を用いて、該コンテンツの再生に係る処理を実行する。コンテンツの再生に係る処理は、ライブ配信の１フレームに係る両眼立体視用の画像群の生成及び表示部２２０への表示と、対応する音声データの再生及び音声出力部２３０への出力とを含む。表示部２２０は、例えばＬＣＤ等の表示装置であり、音声出力部２３０は、例えばスピーカやイヤホン等の音声出力装置である。
【００３５】
ここで、両眼立体視用の画像群（左眼用画像及び右眼用画像）の生成は、描画部２０６により行われる。描画部２０６は、例えばＧＰＵ等の描画装置であり、表示部２２０に表示させる左眼用画像及び右眼用画像を生成するために、所定の描画処理を行う。具体的には描画部２０６は、鑑賞アプリケーションにおいてコンテンツの鑑賞体験の提供が開始されると、メインキャラクタ及びモブキャラクタの描画オブジェクト（３次元モデルを含む）に対して必要な演算を行い、モーションを適用して３次元空間に配置し、設定された鑑賞位置に応じて定められた左眼用の視点と右眼用の視点について、該３次元空間を描画することで、両眼立体視用の画像群を生成する。
【００３６】
このとき、左眼用の視点と右眼用の視点は、受信クライアント２００を装着した鑑賞ユーザの頭部の動きを反映するため、例えば、加速度センサやジャイロセンサ等の、受信クライアント２００に内蔵された視点制御用センサ２１０からのセンサ出力が反映されたものになる。設定部２０４によって設定された鑑賞位置は、該鑑賞位置に対応付けられた３次元空間中の領域（鑑賞を行う領域）と、該領域について予め定められた、両眼立体視用の画像群を生成する際の基準の視点位置及び視線方向を特定するものであり、没入感の高い両眼立体視コンテンツの鑑賞体験の提供のためには、該基準の視点位置及び視線方向を、鑑賞ユーザの頭部の動きに応じて変化させることが好適である。従って、該基準の視点位置及び視線方向に対して、視点制御用センサ２１０からのセンサ出力に基づく並進及び回転を適用した後、適用後の視点位置を中点として眼間距離相当分離間させ、適用後の視線方向を有する２つの視点が、左眼用の視点と右眼用の視点となる。
【００３７】
例えば、表示部２２０の表示領域を分割して左眼用と右眼用の画像を表示し、これを所定の光学系を介して鑑賞させることで両眼立体視を実現する態様では、描画部２０６は、生成した両眼立体視用の画像群を、１つの画面を構成するよう並列に結合することで、最終的な画面を生成する。再生制御部２０５は、このようにして生成された、該当のフレームに係る画面の画像を表示部２２０に順次表示することで、両眼立体視コンテンツの提示を実現する。
【００３８】
操作検出部２０７は、例えば電源ボタンやメニューボタン等の、受信クライアント２００が有するユーザインタフェースである。操作検出部２０７は、操作部材に対する操作入力がなされたことを検出すると、該操作入力に対応する制御信号を受信制御部２０１に出力する。また、本実施形態では受信クライアント２００は、無線接続されたコントローラ２４０を含んでおり、該コントローラ２４０の有する物理的な操作部材である物理ボタン２４１になされた操作入力も、操作検出部２０７が検出する。
【００３９】
演出制御部２０８は、本実施形態のコンテンツ配信システムにてライブ配信されるコンテンツに係る演出を制御する。詳細は後述するが、ライブ配信されるコンテンツには、メインキャラクタが歌唱する演出を提供するパートが含まれおり、演出制御部２０８は、主として該パートにおける演出制御を行う。
【００４０】
受信通信部２０９は、受信クライアント２００が有する外部装置との通信インタフェースである。受信通信部２０９は、ネットワーク５００（有線・無線を問わない）を介して外部装置と接続し、データの送受信を可能とすることができる。受信通信部２０９は、例えば送信対象として入力された情報を所定の形式のデータに変換し、ネットワーク５００を介して接続サーバ３００等の外部装置に送信する。また受信通信部２０９は、例えばネットワーク５００を介して外部装置から情報を受信すると、該情報を復号し、受信メモリ２０３に格納する。
【００４１】
〈接続サーバの機能構成〉
次に、本実施形態のコンテンツ配信システムに係る接続サーバ３００の機能構成について、図４のブロック図を用いて説明する。なお、接続サーバ３００の機能構成の説明において、配信クライアント１００及び受信クライアント２００が有する構成と同様の機能を実現する構成については、これらの機器の構成と峻別するために、「接続」との接頭文字を付して示すものとする。ここで、接頭文字として付す「接続」は、単に接続サーバ３００の一構成であることを示すものであり、説明するブロックの機能を限定する用途で用いるものではない。
【００４２】
接続制御部３０１は、例えばＣＰＵであり、接続サーバ３００が有する各ブロックの動作を制御する。具体的には接続制御部３０１は、例えば接続記録媒体３０２に記録されている各ブロックの動作プログラムを読み出し、接続メモリ３０３に展開して実行することにより各ブロックの動作を制御する。
【００４３】
接続記録媒体３０２は、例えば不揮発性メモリやＨＤＤ等の、恒久的にデータを保持可能な記録装置である。接続記録媒体３０２は、接続サーバ３００が有する各ブロックの動作プログラムに加え、各ブロックの動作において必要となるパラメータ等の情報を記憶する。接続メモリ３０３は、例えば揮発性メモリ等の一時的なデータ記憶に使用される記憶装置である。接続メモリ３０３は、各ブロックの動作プログラムの展開領域としてだけでなく、各ブロックの動作において出力されたデータ等を一時的に記憶する格納領域としても用いられる。
【００４４】
通信制御部３０４は、後述の接続通信部３０５を介して外部装置から受信した情報をいずれの装置に送信するかの制御、及び現在コンテンツ鑑賞を行っている受信クライアント２００の管理等、本実施形態のコンテンツ配信システムにおけるコンテンツの鑑賞体験の提供を実現するために、通信に係る必要な処理を行う。なお、本実施形態では簡単のため、コンテンツ配信システムが配信するコンテンツが１種類であるものとして説明するが、本発明の実施はこれに限られるものではなく、接続サーバ３００を介して提供されるコンテンツは複数種類あってもよい。この場合、コンテンツごとに配信クライアント１００とモーションキャプチャシステム４００の組み合わせが設けられるものであってよい。
【００４５】
接続通信部３０５は、接続サーバ３００が有する外部装置との通信インタフェースである。接続通信部３０５は、ネットワーク５００（有線・無線を問わない）を介して外部装置と接続し、データの送受信を可能とすることができる。接続通信部３０５は、例えば送信対象として入力された情報を所定の形式のデータに変換し、ネットワーク５００を介して配信クライアント１００、受信クライアント２００等の外部装置に送信する。また接続通信部３０５は、例えばネットワーク５００を介して外部装置から情報を受信すると、該情報を復号し、接続メモリ３０３に格納する。
【００４６】
《提供コンテンツの概要》
次に、このような構成を有する本実施形態のコンテンツ配信システムの、受信クライアント２００で提供されるコンテンツの鑑賞体験について具体的に説明する。
【００４７】
本実施形態で一例として説明するコンテンツは、図５に示されるように、演者の挙動や音声と連動するメインキャラクタ５０２が、主として３次元空間中のステージ５０３上に配置され、マイクパフォーマンスと歌唱パフォーマンスを行う様子の鑑賞を、鑑賞ユーザに可能ならしめる両眼立体視コンテンツである。受信クライアント２００に対して割り当てられる鑑賞位置５０１は、図示されるように、ステージ５０３の周囲に設けられたフロア（客席）５０４に設けられており、鑑賞ユーザが、基本的にはステージ５０３よりも低い位置からメインキャラクタ５０２を鑑賞可能なように、コンテンツは構成されている。
【００４８】
即ち、コンテンツに係り構成される３次元空間は、図示されるように所謂ライブハウスやコンサートホールのような空間を模して各種描画オブジェクトが配置されており、鑑賞ユーザは、両眼立体視で該３次元空間を鑑賞することで、あたかもメインキャラクタ５０２の出演するコンサートライブに足を運んでいるかの如き鑑賞体験を得ることができる。本実施形態のコンテンツでは、該鑑賞体験の臨場感をより高めるべく、またコンテンツの賑やかし要素として、同様にコンサートライブを鑑賞している存在を示すモブ（群衆）キャラクタ５０５が、フロア５０４には配置される。
【００４９】
コンテンツは、メインキャラクタ５０２がマイクパフォーマンスを行うＭＣパートと、メインキャラクタ５０２が歌唱パフォーマンスを行うライブパートとに分かれて構成されている。本実施形態では、このうちＭＣパートについてのみ、演者が実時間で発している音声と挙動を反映させるよう、モーションキャプチャシステム４００により取得されたモーションデータ及び音声データが配信され、受信クライアント２００において描画制御に用いられるものとして説明する。一方、ライブパートは、例えば宙に浮く演出や瞬間移動する演出等、演者が実際に行う挙動のみでは実現困難なものを含む、興趣性の高い演出を提供すべく、予め構成されたモーションデータ及び音声データを適用することで提供されるものとして説明する。即ち、本実施形態のコンテンツにおけるライブパートは、モーションキャプチャシステム４００により演者について実時間に取得されたモーションデータ及び音声データを再生に係る処理において用いず、コンテンツ鑑賞に先立って、あるいはライブパートに先立って予め受信メモリ２０３等に格納されたモーションデータ及び音声データを用いて提示可能に構成されるものとする。ここで、ライブパートの再生に係る処理に使用されるモーションデータ及び音声データは、演者の挙動及び音声を予め実計測して記録したものを加工することによって構成されたものであってもよい。
【００５０】
このように、本実施形態では説明を簡単にすべく、実計測した演者の挙動や音声そのものを反映させて提示するか、または、実計測に基づかずに構成された、あるいは演者の実計測により得られたものを加工することで構成された挙動や音声を反映させて提示するかの観点で、コンテンツをＭＣパートとライブパートとに分け、後者を本発明に係る演出を提供するパートであるものとして説明する。
【００５１】
また、ＭＣパートとライブパートとは、コンテンツの鑑賞体験の提供期間、交互に複数回現れるものであってよい。本実施形態のコンテンツ配信システムでは、ＭＣパートでは、演者に係り実計測されたモーションデータ及び音声データを配信クライアント１００から受信したことを受けて、再生制御部２０５はこれを反映した再生に係る処理を実行するが、ライブパートに関しては配信クライアント１００からの演者に係る実計測情報の取得を要さずに、予め格納したデータを用いて受信クライアント２００内で再生に係る処理を完結することができる。一方で、多人数が鑑賞するライブ配信の提供にあたっては、受信クライアント２００間で進行状況が同期され、鑑賞ユーザの一体感が担保されることが好ましいものであるため、少なくともＭＣパートからライブパートに切り替わる際には、配信クライアント１００から接続サーバ３００を介して、各受信クライアント２００にライブパートの開始指示がなされるものとする。
【００５２】
なお、本実施形態ではライブパートには、実時間でモーションキャプチャシステム４００により演者について取得されたモーションデータ及び音声データを用いないものとして説明したが、本発明の実施はこれに限られるものではないことは容易に理解されよう。例えば、ライブパートにおいて適用されるモーションデータは予め格納されたものを利用し、音声データは実時間で取得されたものを利用するものとしてもよい。この場合、例えばメインキャラクタ５０２のモデルの口唇部の状態制御は、音声データに基づいて行われるものとしてもよい。
【００５３】
〈ライブパートの演出態様〉
また、本実施形態のシステムにおいて鑑賞体験が提供されるコンテンツのライブパートは、鑑賞ユーザのコンテンツに対する関心を高めるため、少なくとも２種類の演出パートを含むものとする。
【００５４】
１つ目は、本発明に係る第１のパートとしての通常演出パートであり、歌唱パフォーマンス中のメインキャラクタ５０２を用いた演出のうち、好ましい鑑賞位置を特に定めていない演出、換言すれば、いずれの鑑賞位置から鑑賞したとしても鑑賞ユーザ間の公平性が担保される演出を提供するパートになる。本実施形態では通常演出パートは、メインキャラクタ５０２がステージ５０３上において、フロア５０４の全体を対象としてパフォーマンスを行う演出を提供する。例えば、いずれの鑑賞位置５０１からも鑑賞しやすいステージ５０３の中央付近にメインキャラクタ５０２を配置して行われるような演出や、各鑑賞位置５０１から鑑賞しやすいフロア５０４上の位置をメインキャラクタ５０２が均等に移動するような演出が含まれる。
【００５５】
２つ目は、本発明に係る第２のパートとしての特殊演出パートであり、歌唱パフォーマンス中のメインキャラクタ５０２を用いた演出のうち、好ましい鑑賞位置が定められた演出、換言すれば、その他の鑑賞位置からでは好適でない鑑賞体験が提供され得る演出を提供するパートになる。特殊演出パートは、通常演出パートとは異なり、メインキャラクタ５０２が、ステージ５０３上もしくはフロア５０４にて、特定の鑑賞位置５０１に対象を限定してパフォーマンスを行う演出を提供するものである。例えば、メインキャラクタ５０２が、対象となる鑑賞位置５０１に最も近いステージ５０３上の位置に移動し、該鑑賞位置５０１方向に向けてパフォーマンスを行う演出を含む。また例えば、メインキャラクタ５０２がステージ５０３からフロア５０４の対象となる鑑賞位置５０１の領域に移動し、該鑑賞位置５０１方向に対して近づきながらパフォーマンスを行う演出を含む。
【００５６】
ところで、このような特殊演出パートで提供される演出は、好ましい鑑賞位置５０１において鑑賞を行うよう設定していた鑑賞ユーザであれば、図６（ｂ）に示されるように、鑑賞ユーザに対してのみパフォーマンスが行われているような鑑賞体験を得ることができるが、他の鑑賞位置５０１において鑑賞を行うよう設定していた鑑賞ユーザは、図６（ａ）に示したように、好適な鑑賞体験を得ることができない可能性がある。本実施形態のコンテンツ配信システムでは、このような特殊演出パートにおいて、設定されていた鑑賞位置の違いによって鑑賞ユーザ間で鑑賞体験に差が生じないよう、演出制御部２０８が演出制御を行う。
【００５７】
ここで、特殊演出パートにおいて、図７（ａ）に示されるように、メインキャラクタ５０２が、フロア５０４の鑑賞位置５０１ａに対応する領域７０１内の位置７０２に現れ、鑑賞位置５０１ａに接近しながらパフォーマンスを行う演出が提供されるよう定められている例について考える。このとき、例えば鑑賞位置５０１ｃを鑑賞用に設定していた鑑賞ユーザは、該演出を鑑賞することができず、コンテンツの鑑賞体験において、不公平である印象を抱き得る。
【００５８】
故に、受信クライアント２００の演出制御部２０８は、このような特殊演出パートが開始される際、該受信クライアント２００において設定されている鑑賞位置（鑑賞位置５０１ｃ）が、演出の好適な提供対象である鑑賞位置（鑑賞位置５０１ａ）と一致するか否かを判断する。そして、これが異なるのであれば、演出制御部２０８は、本来鑑賞位置５０１ａを対象として提供される上記演出を、鑑賞位置５０１ｃに対して提供するよう制御を行う。具体的には、演出制御部２０８は、図７（ｂ）に示すように、メインキャラクタ５０２の配置位置を鑑賞位置５０１ｃに対応する領域７０３内の位置７０４に変更し、図７（ａ）に示した演出と同様の演出（鑑賞位置５０１ｃに接近しながらパフォーマンスを行う演出）を提供するモーションデータを適用するよう制御する。
【００５９】
このようにすることで、本実施形態のコンテンツ配信システムでは、特殊演出パートに至った際に、異なる鑑賞位置で鑑賞している鑑賞ユーザのそれぞれに対し、統一された鑑賞体験が提供されるようにすることができる。換言すれば、本実施形態のコンテンツ配信システムでは、特殊演出パートにおいて、現在コンテンツ鑑賞を行っている受信クライアント２００間の各々で提供する演出内容は同一であるが、設定されている鑑賞位置に応じて、描画オブジェクトの分布が異なる３次元空間が描画対象となる状況を生じさせ得る。
【００６０】
なお、本実施形態は、ライブパートについては予め受信メモリ２０３等に格納されたモーションデータ及び音声データを用いて、再生に係る処理を行ってコンテンツの鑑賞体験を提供する態様であるため、特殊演出パートに係るモーションデータも、予め全て格納されている。即ち、特殊演出パートに係るモーションデータは、予め全ての鑑賞位置５０１のそれぞれについて設けられ、予備データとしてメモリ１０３等に格納されているものとする。そして演出制御部２０８は、特殊演出パートに至った際には、該パートについて本来定められた鑑賞位置に係る演出の提供が好適でないのであれば、鑑賞用に設定されている鑑賞位置に応じたモーションデータを予備データのうちから読み出し、再生に係る処理に代用するよう制御する。
【００６１】
《演出制御処理》
以下、本実施形態のコンテンツ配信システムの受信クライアント２００において実行される、ライブパートのコンテンツの鑑賞体験の提供中において行われる演出制御処理について、図８のフローチャートを用いて具体的な処理を説明する。該フローチャートに対応する処理は、受信制御部２０１が、例えば受信記録媒体２０２に記憶されている、鑑賞アプリケーションのうちの対応する処理プログラムを読み出し、受信メモリ２０３に展開して実行することにより実現することができる。なお、本演出制御処理は、例えば配信クライアント１００から送信されたライブパートの開始要求を受信した際に開始されるものとして説明する。ここで、コンテンツの鑑賞体験は、配信アプリケーションにて予めライブ配信を行うものとして定めた期間、もしくはその直前に設けられた所定の期間において、受信クライアント２００にて鑑賞アプリケーションが実行され、対象のコンテンツに係る鑑賞要求が受信クライアント２００から接続サーバ３００に送信されたことを条件として、上記ライブ配信を行う期間において提供されるものとする。このとき、通信制御部３０４は、該当のコンテンツの鑑賞を行っている受信クライアント２００のリストに、鑑賞要求を行った受信クライアント２００の識別情報（及び宛先情報）を追加する。
【００６２】
Ｓ８０１で、受信制御部２０１は、鑑賞体験を提供しているコンテンツが、特殊演出パートに係る演出を提供するシーケンスに至ったか否かを判断する。ライブパートに係るコンテンツ鑑賞における通常演出パートと特殊演出パートの区間の情報は、該ライブパートについて予め設計されたタイムライン情報に含められており、受信制御部２０１は該タイムライン情報を参照することで、本ステップの判断を行えばよい。受信制御部２０１は、特殊演出パートに係る演出を提供するシーケンスに至ったと判断した場合は処理をＳ８０２に移し、至っていない、即ち、通常演出パートに係る演出を提供するシーケンスであると判断した場合は処理をＳ８０６に移す。
【００６３】
Ｓ８０２で、設定部２０４は、鑑賞位置変更に係る操作入力を受け付けないよう、状態制御を行う。上述したように、特殊演出パートに係る演出は、本実施形態では現在設定されている鑑賞位置（設定鑑賞位置）に対して提供されるよう制御されることになる。つまり、このような演出の途中で設定鑑賞位置の変更操作を可能ならしめると、鑑賞位置の変更とともにメインキャラクタ５０２の配置位置も変えることになり、結果としてフレーム間の演出の連続性が担保されず、好適な鑑賞体験を阻害し得る。このため、本実施形態の演出制御処理では、少なくとも特殊演出パートに係る演出を提供するシーケンスにおいては、設定鑑賞位置の変更がなされないように制御される。
【００６４】
Ｓ８０３で、演出制御部２０８は受信制御部２０１の制御の下、設定鑑賞位置が現在の特殊演出パートについて定められた提供対象の鑑賞位置（対象鑑賞位置）と一致するか否かを判断する。演出制御部２０８は、設定鑑賞位置が対象鑑賞位置と一致すると判断した場合は処理をＳ８０４に移し、一致しないと判断した場合は処理をＳ８０５に移す。
【００６５】
Ｓ８０４で、演出制御部２０８は、現在の特殊演出パートについて予め定められたモーションデータ及び音声データを示す情報を、演出の提示に必要な情報として再生制御部２０５に伝送する。このように伝送された演出の提示に必要な情報は、提示するコンテンツの再生に係る処理において、描画部２０６による描画処理や音声出力部２３０への音声出力に用いられる。
【００６６】
一方、Ｓ８０３において設定鑑賞位置が対象鑑賞位置と一致しないと判断した場合、演出制御部２０８はＳ８０５で、現在の特殊演出パートについて設けられた予備データのうち、設定鑑賞位置用に構成されたモーションデータ及び音声データを示す情報を、演出の提示に必要な情報として再生制御部２０５に伝送する。即ち、Ｓ８０４において選択される演出の提示に必要な情報が図７（ａ）に示したような演出態様を示すものである例において、本ステップにおいて選択される演出の提示に必要な情報は、図７（ｂ）に示したような演出態様を示すものに相当する（設定鑑賞位置が鑑賞位置５０１ｃ）。
【００６７】
また、Ｓ８０１において通常演出パートに係る演出を提供するシーケンスであると判断された場合、演出制御部２０８はＳ８０６で、現在の通常演出パートについて予め定められたモーションデータ及び音声データを示す情報を、演出の提示に必要な情報として再生制御部２０５に伝送する。なお、通常演出パートに係る演出を提供するシーケンスである場合には、設定部２０４は、鑑賞位置変更に係る操作入力を受け付け可能なように状態制を行うものとする。
【００６８】
Ｓ８０７で、受信制御部２０１は、ライブパートが終了したか否かを判断する。ライブパートが終了したか否かの判断は、例えば、該ライブパートに係るタイムライン情報を参照し、定められた全ての演出提示が完了したか否かに基づいて行われるものであってもよいし、予めライブパートの提示について定められた期間の終了後に配信クライアント１００から送信される、ＭＣパートの開始に係る情報の受信有無に基づいて行われるものであってもよい。受信制御部２０１は、ライブパートが終了したと判断した場合は本演出制御処理を完了し、終了していないと判断した場合は処理をＳ８０１に戻す。
【００６９】
このようにすることで、本実施形態のコンテンツ配信システムによれば、興趣性の高い演出の鑑賞体験を鑑賞者に好適に提供することができる。より詳しくは、鑑賞ユーザに対して個別にパフォーマンスが行われているかの如く演出提示を鑑賞体験に含め、いずれの鑑賞位置であっても、このような演出の提供を好適な態様で受けることが可能なよう、演出の制御を行うことで、興趣性の高い鑑賞体験の提供を実現することができる。
【００７０】
［変形例］
上述した実施形態では、特殊演出パートについて定められた演出について、全ての鑑賞位置にて同様に該演出の提供を受けることが可能なよう、予め全ての鑑賞位置について演出の提示に必要な情報が用意されているものとして説明したが、本発明の実施はこれに限られるものではない。
【００７１】
例えば、特殊演出パートに係る演出の提示に必要な情報は、該特殊演出パートについて定められた提供対象の鑑賞位置（対象鑑賞位置）についてのみ設けられており、現在設定されている鑑賞位置（設定鑑賞位置）と対象鑑賞位置とが異なる場合には、演出制御部２０８は、対象鑑賞位置について設けられたモーションデータを、設定鑑賞位置について同様の演出の提供を実現するように変更することによって、演出の提示に必要な情報を生成するようにしてもよい。
【００７２】
［実施形態２］
上述した実施形態１及び変形例では、ライブパートに係る演出の提示に必要な情報が受信クライアント２００に予め格納されており、演出制御部２０８が、設定鑑賞位置に応じて好適な情報を選択的に読み出すものとして説明した。しかしながら、本発明の実施はこれに限られるものではなく、ライブパートに係る演出の提示に必要な情報、もしくは少なくとも設定鑑賞位置に応じて動的に変更がなされる特殊演出パートに係る演出の提示に必要な情報は、ＭＣパートと同様に、配信クライアント１００から接続サーバ３００を介して各受信クライアント２００に提供されるものであってもよい。
【００７３】
本実施形態では、このように、演出制御を配信クライアント１００側にて行う態様について説明する。なお、以下の説明において、上述した実施形態１のコンテンツ配信システムと同一の構成については同一の参照番号を付し、説明は省略する。
【００７４】
《配信クライアントの機能構成》
まず、本実施形態のコンテンツ配信システムに係る配信クライアント１００及びモーションキャプチャシステム４００の機能構成について、図２のブロック図を用いて説明する。本実施形態では、配信クライアント１００は実施形態１とは異なり、図２に実線で示した構成と破線で示した構成の両方を有しているものとして説明する。
【００７５】
演出制御部１１０は、本実施形態のコンテンツ配信システムにてライブ配信されるコンテンツに係る演出を制御する。上述したように、ライブ配信されるコンテンツには、ライブパートが含まれており、演出制御部１１０は、該パートに係るコンテンツの鑑賞が行われている場合に演出制御を行う。
【００７６】
《受信クライアントの機能構成》
本実施形態の受信クライアント２００は実施形態１とは異なり、図３に実線で示した構成のみを有し、破線で示した構成は有さない。
【００７７】
従って、本実施形態のコンテンツ配信システムでは、演出制御を行う構成が受信クライアント２００ではなく配信クライアント１００に設けられている点で、実施形態１のコンテンツ配信システムとは異なっている。
【００７８】
《演出制御処理》
以下、本実施形態のコンテンツ配信システムの配信クライアント１００において実行される、ライブパートのコンテンツの鑑賞体験の提供中において行われる演出制御処理について、図９のフローチャートを用いて具体的な処理を説明する。該フローチャートに対応する処理は、制御部１０１が、例えば記録媒体１０２に記憶されている、配信アプリケーションのうちの対応する処理プログラムを読み出し、メモリ１０３に展開して実行することにより実現することができる。なお、本演出制御処理は、例えば配信クライアント１００においてＭＣパートからライブパートに移行することが決定され、ライブパートの開始に係る指示が、配信クライアント１００から現在コンテンツ提供が行われている受信クライアント２００宛てに送信された際に開始されるものとして説明する。
【００７９】
また本実施形態のコンテンツ配信システムでは、コンテンツ鑑賞を行っている受信クライアント２００からは、該受信クライアント２００において設定部２０４が設定した鑑賞位置の情報が、該受信クライアント２００を識別する装置ＩＤに関連付けて、配信クライアント１００に対して送信されるものとする。該情報は、コンテンツ提供の開始時、及び設定鑑賞位置の変更がなされた際に送信され、例えば配信クライアント１００のメモリ１０３に記憶されている、現在コンテンツ提供を行っている受信クライアント２００についての鑑賞位置リストに格納されるものとする。
【００８０】
Ｓ９０１で、制御部１０１は、鑑賞体験を提供しているコンテンツが、特殊演出パートに係る演出を提供するシーケンスに至ったか否かを判断する。ライブパートに係るコンテンツ鑑賞における通常演出パートと特殊演出パートの区間の情報は、該ライブパートについて予め設計されたタイムライン情報に含められており、制御部１０１は該タイムライン情報を参照することで、本ステップの判断を行えばよい。制御部１０１は、特殊演出パートに係る演出を提供するシーケンスに至ったと判断した場合は処理をＳ９０２に移し、至っていない、即ち、通常演出パートに係る演出を提供するシーケンスであると判断した場合は処理をＳ９０４に移す。
【００８１】
Ｓ９０２で、制御部１０１は、現在コンテンツ鑑賞を行っている受信クライアント２００宛てに、鑑賞位置変更に係る操作入力を無効化する指示を送出する。受信クライアント２００において該指示が受信されると、設定部２０４は、鑑賞位置変更に係る操作入力を受け付けないよう、状態制御を行えばよい。
【００８２】
Ｓ９０３で、演出制御部１１０は制御部１０１の制御の下、鑑賞位置リストに含まれる受信クライアント２００のそれぞれについて、設定鑑賞位置が現在の特殊演出パートについて定められた提供対象の鑑賞位置（対象鑑賞位置）と一致するか否かを判断する。そして演出制御部１１０は、設定鑑賞位置が対象鑑賞位置と一致すると判断した受信クライアント２００については、現在の特殊演出パートについて予め定められたモーションデータ及び音声データを示す情報を通信部１０６に伝送し、演出の提示に必要な情報として該受信クライアント２００宛てに送信させる。また演出制御部１１０は、設定鑑賞位置が対象鑑賞位置と一致しないと判断した受信クライアント２００については、現在の特殊演出パートについて設けられた予備データのうち、設定鑑賞位置用に構成されたモーションデータ及び音声データを示す情報を通信部１０６に伝送し、演出の提示に必要な情報として該受信クライアント２００宛てに送信させる。
【００８３】
なお、本実施形態では説明を簡単にするため、実施形態１と同様に、ライブパートの演出の提示に必要なモーションデータ及び音声データは、予め用意され、記録媒体１０２に格納されているものとして説明するが、本発明の実施はこれに限られない。即ち、本実施形態のように、ライブパートに係るシーケンスにおいても、配信クライアント１００から演出の提示に必要な情報の各受信クライアント２００への送信が行われる態様であれば、ＭＣパートと同様に、モーションキャプチャシステム４００による演者の実計測に基づいて得られたモーションデータ及び音声データを用いるものとしてもよい。この場合、特殊演出パートについては、演者によって行われた挙動は、該パートについて定められた１つの鑑賞位置（対象鑑賞位置）に対するモーションデータとして構成され、異なる設定鑑賞位置に対して提供する場合には、該実時間の挙動に基づくモーションデータが変更されるものとすればよい。
【００８４】
また、Ｓ９０１において通常演出パートに係る演出を提供するシーケンスであると判断された場合、演出制御部１１０はＳ９０４で、現在の通常演出パートについて予め定められたモーションデータ及び音声データを示す情報を通信部１０６に伝送し、演出の提示に必要な情報として現在コンテンツ鑑賞を行っている受信クライアント２００宛てに送信させる。なお、通常演出パートに係る演出を提供するシーケンスである場合には、鑑賞位置変更に係る操作入力を受け付けてもよいため、現在コンテンツ鑑賞を行っている受信クライアント２００宛てに、鑑賞位置変更に係る操作入力を有効化する指示を送出してよい。受信クライアント２００において該指示が受信されると、設定部２０４は、鑑賞位置変更に係る操作入力を受け付けるよう、状態制御を行えばよい。
【００８５】
Ｓ９０５で、制御部１０１は、ライブパートが終了したか否かを判断する。ライブパートが終了したか否かの判断は、例えば、該ライブパートに係るタイムライン情報を参照し、定められた全ての演出提示が完了したか否かに基づいて行われるものであってもよい。制御部１０１は、ライブパートが終了したと判断した場合は本演出制御処理を完了し、終了していないと判断した場合は処理をＳ９０１に戻す。
【００８６】
このようにすることで、配信クライアント１００の演出制御部１１０が主体となって、各受信クライアント２００において好適なコンテンツの鑑賞体験が提供されるようにできる。
【００８７】
［その他の実施形態］
本発明は上記実施の形態に制限されるものではなく、本発明の要旨の範囲内で、種々の変更及び変形が可能である。また本発明に係るコンテンツ配信システムは、１以上のコンピュータを該システムの配信装置及び受信装置として機能させるプログラムによっても実現可能である。該プログラムは、コンピュータが読み取り可能な記録媒体に記録されることにより、あるいは電気通信回線を通じて、提供／配布することができる。
【符号の説明】
【００８８】
１００：配信クライアント、１０１：制御部、１０２：記録媒体、１０３：メモリ、１０４：取得部、１０５：配信部、１０６：通信部、１１０：演出制御部、２００：受信クライアント、２０１：受信制御部、２０２：受信記録媒体、２０３：受信メモリ、２０４：設定部、２０５：再生制御部、２０６：描画部、２０７：操作検出部、２０８：演出制御部、２０９：受信通信部、２１０：視点制御用センサ、２２０：表示部、２３０：音声出力部、２４０：コントローラ、２４１：物理ボタン、３００：接続サーバ、３０１：接続制御部、３０２：接続記録媒体、３０３：接続メモリ、３０４：通信制御部、３０５：接続通信部、４００：モーションキャプチャシステム、４０１：検出部、４０２：音声取得部、４０３：変換部、４０４：出力部、５００：ネットワーク
【図１】
2020102053.tif 000003
【図２】
2020102053.tif 000004
【図３】
2020102053.tif 000005
【図４】
2020102053.tif 000006
【図５】
2020102053.tif 000007
【図６】
2020102053.tif 000008
【図７】
2020102053.tif 000009
【図８】
2020102053.tif 000010
【図９】
2020102053.tif 000011
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
３次元空間に配置されたキャラクタを提示するコンテンツを配信する配信装置と、配信された前記コンテンツを受信し、該コンテンツの鑑賞体験を提供する受信装置とを有するコンテンツ配信システムであって、
前記受信装置は、
前記配信装置と情報通信する第１の通信手段と、
前記コンテンツについて、前記３次元空間を鑑賞する鑑賞位置を設定する設定手段と、
前記設定手段により設定された鑑賞位置に基づく前記キャラクタの描画を含む、前記コンテンツの再生に係る処理を実行する再生手段と、
再生される前記コンテンツに係る演出を制御する演出制御手段と、
再生された前記コンテンツを提示する提示手段と、
を有し、
前記配信装置は、前記受信装置と情報通信する第２の通信手段を有し、
前記コンテンツは、演出を提供するパートとして、鑑賞位置を定めない演出を提供する第１のパートと、予め定められた鑑賞位置に対する演出を提供する第２のパートと、を少なくとも含み、
前記再生手段は、前記配信装置から開始指示が受信されたことに応じて、前記演出を提供するパートについての前記再生に係る処理を実行し、
前記演出制御手段は、前記第２のパートについて、前記設定手段により設定された鑑賞位置に対する演出を提供するよう制御し、
前記設定手段により設定される鑑賞位置は、予め設けられた複数の鑑賞位置のうちから選択されるものであり、
前記第２のパートに係る演出は、前記複数の鑑賞位置のそれぞれについて、該演出の提示に必要な情報が設けられており、
前記再生手段は、前記第２のパートにおいて、前記設定手段により設定された鑑賞位置について設けられた前記演出の提示に必要な情報に基づいて、前記コンテンツの再生に係る処理を実行する
ことを特徴とするコンテンツ配信システム。
【請求項２】
３次元空間に配置されたキャラクタを提示するコンテンツを配信する配信装置と、配信された前記コンテンツを受信し、該コンテンツの鑑賞体験を提供する受信装置とを有するコンテンツ配信システムであって、
前記受信装置は、
前記配信装置と情報通信する第１の通信手段と、
前記コンテンツについて、前記３次元空間を鑑賞する鑑賞位置を設定する設定手段と、
前記設定手段により設定された鑑賞位置に基づく前記キャラクタの描画を含む、前記コンテンツの再生に係る処理を実行する再生手段と、
再生された前記コンテンツを提示する提示手段と、
を有し、
前記配信装置は、
前記受信装置において再生される前記コンテンツに係る演出を制御する演出制御手段と、
前記受信装置と情報通信し、少なくとも前記コンテンツに係る演出の提示に必要な情報を送信する第２の通信手段と、
を有し、
前記コンテンツは、演出を提供するパートとして、鑑賞位置を定めない演出を提供する第１のパートと、予め定められた鑑賞位置に対する演出を提供する第２のパートと、を少なくとも含み、
前記再生手段は、前記配信装置から開始指示が受信されたことに応じて、前記演出を提供するパートについての前記再生に係る処理を実行し、
前記第１の通信手段は、前記演出を提供するパートを含む前記再生に係る処理の実行に伴って、前記設定手段により設定された鑑賞位置の情報を前記配信装置に送信し、
前記演出制御手段は、前記第２のパートについて、前記設定手段により設定された鑑賞位置に対する演出を提供するよう制御し、
前記設定手段により設定される鑑賞位置は、予め設けられた複数の鑑賞位置のうちから選択されるものであり、
前記第２のパートに係る演出は、前記複数の鑑賞位置のそれぞれについて、該演出の提示に必要な情報が設けられており、
前記再生手段は、前記第２のパートにおいて、前記設定手段により設定された鑑賞位置について設けられた前記演出の提示に必要な情報に基づいて、前記コンテンツの再生に係る処理を実行する
ことを特徴とするコンテンツ配信システム。
【請求項３】
３次元空間に配置されたキャラクタを提示するコンテンツを配信する配信装置と、配信された前記コンテンツを受信し、該コンテンツの鑑賞体験を提供する受信装置とを有するコンテンツ配信システムであって、
前記受信装置は、
前記配信装置と情報通信する第１の通信手段と、
前記コンテンツについて、前記３次元空間を鑑賞する鑑賞位置を設定する設定手段と、
前記設定手段により設定された鑑賞位置に基づく前記キャラクタの描画を含む、前記コンテンツの再生に係る処理を実行する再生手段と、
再生される前記コンテンツに係る演出を制御する演出制御手段と、
再生された前記コンテンツを提示する提示手段と、
を有し、
前記配信装置は、前記受信装置と情報通信する第２の通信手段を有し、
前記コンテンツは、演出を提供するパートとして、鑑賞位置を定めない演出を提供する第１のパートと、予め定められた鑑賞位置に対する演出を提供する第２のパートと、を少なくとも含み、
前記再生手段は、前記配信装置から開始指示が受信されたことに応じて、前記演出を提供するパートについての前記再生に係る処理を実行し、
前記演出制御手段は、前記第２のパートについて、前記設定手段により設定された鑑賞位置に対する演出を提供するよう制御し、
前記第２のパートに係る演出は、１つの前記予め定められた鑑賞位置について、該演出の提示に必要な情報が設けられており、
前記演出制御手段は、前記予め定められた鑑賞位置と前記設定手段により設定された鑑賞位置とが異なる場合に、前記設定手段により設定された鑑賞位置に対する演出となるように、前記第２のパートに係る演出の提示に必要な情報を変更する
ことを特徴とするコンテンツ配信システム。
【請求項４】
３次元空間に配置されたキャラクタを提示するコンテンツを配信する配信装置と、配信された前記コンテンツを受信し、該コンテンツの鑑賞体験を提供する受信装置とを有するコンテンツ配信システムであって、
前記受信装置は、
前記配信装置と情報通信する第１の通信手段と、
前記コンテンツについて、前記３次元空間を鑑賞する鑑賞位置を設定する設定手段と、
前記設定手段により設定された鑑賞位置に基づく前記キャラクタの描画を含む、前記コンテンツの再生に係る処理を実行する再生手段と、
再生された前記コンテンツを提示する提示手段と、
を有し、
前記配信装置は、
前記受信装置において再生される前記コンテンツに係る演出を制御する演出制御手段と、
前記受信装置と情報通信し、少なくとも前記コンテンツに係る演出の提示に必要な情報を送信する第２の通信手段と、
を有し、
前記コンテンツは、演出を提供するパートとして、鑑賞位置を定めない演出を提供する第１のパートと、予め定められた鑑賞位置に対する演出を提供する第２のパートと、を少なくとも含み、
前記再生手段は、前記配信装置から開始指示が受信されたことに応じて、前記演出を提供するパートについての前記再生に係る処理を実行し、
前記第１の通信手段は、前記演出を提供するパートを含む前記再生に係る処理の実行に伴って、前記設定手段により設定された鑑賞位置の情報を前記配信装置に送信し、
前記演出制御手段は、前記第２のパートについて、前記設定手段により設定された鑑賞位置に対する演出を提供するよう制御する
前記第２のパートに係る演出は、１つの前記予め定められた鑑賞位置について、該演出の提示に必要な情報が設けられており、
前記演出制御手段は、前記予め定められた鑑賞位置と前記設定手段により設定された鑑賞位置とが異なる場合に、前記設定手段により設定された鑑賞位置に対する演出となるように、前記第２のパートに係る演出の提示に必要な情報を変更する
ことを特徴とするコンテンツ配信システム。
【請求項５】
前記演出の提示に必要な情報は、前記キャラクタの挙動制御の情報を含み、
前記演出制御手段は、前記予め定められた鑑賞位置と前記設定手段により設定された鑑賞位置とが異なる場合に、前記キャラクタの挙動制御の情報を変更することで、前記設定手段により設定された鑑賞位置に対する演出の提示に必要な情報を構成する
ことを特徴とする請求項３または４に記載のコンテンツ配信システム。
【請求項６】
前記設定手段は、少なくとも前記第２のパートに係る演出が提示されている間、鑑賞位置の変更を行わないことを特徴とする請求項１乃至５のいずれか１項に記載のコンテンツ配信システム。
【請求項７】
前記第１のパートに係る演出は、前記設定手段により設定された鑑賞位置に応じて、前記キャラクタの提示態様が異なる演出であり、
前記第２のパートに係る演出は、前記設定手段により設定された鑑賞位置に依らず、前記キャラクタの提示態様が統一される演出である
ことを特徴とする請求項１乃至６のいずれか１項に記載のコンテンツ配信システム。
【請求項８】
前記コンテンツは、両眼立体視コンテンツであることを特徴とする請求項１乃至７のいずれか１項に記載のコンテンツ配信システム。
【請求項９】
配信装置により配信された、３次元空間に配置されたキャラクタを提示するコンテンツの鑑賞体験を提供する受信装置であって、
前記配信装置と情報通信する通信手段と、
前記コンテンツについて、前記３次元空間を鑑賞する鑑賞位置を設定する設定手段と、
前記設定手段により設定された鑑賞位置に基づく前記キャラクタの描画を含む、前記コンテンツの再生に係る処理を実行する再生手段と、
再生される前記コンテンツに係る演出を制御する演出制御手段と、
再生された前記コンテンツを提示する提示手段と、
を有し、
前記コンテンツは、演出を提供するパートとして、鑑賞位置を定めない演出を提供する第１のパートと、予め定められた鑑賞位置に対する演出を提供する第２のパートと、を少なくとも含み、
前記再生手段は、前記配信装置から開始指示が受信されたことに応じて、前記演出を提供するパートについての前記再生に係る処理を実行し、
前記演出制御手段は、前記第２のパートについて、前記設定手段により設定された鑑賞位置に対する演出を提供するよう制御し、
前記設定手段により設定される鑑賞位置は、予め設けられた複数の鑑賞位置のうちから選択されるものであり、
前記第２のパートに係る演出は、前記複数の鑑賞位置のそれぞれについて、該演出の提示に必要な情報が設けられており、
前記再生手段は、前記第２のパートにおいて、前記設定手段により設定された鑑賞位置について設けられた前記演出の提示に必要な情報に基づいて、前記コンテンツの再生に係る処理を実行する
ことを特徴とする受信装置。
【請求項１０】
配信装置により配信された、３次元空間に配置されたキャラクタを提示するコンテンツの鑑賞体験を提供する受信装置であって、
前記配信装置と情報通信する通信手段と、
前記コンテンツについて、前記３次元空間を鑑賞する鑑賞位置を設定する設定手段と、
前記設定手段により設定された鑑賞位置に基づく前記キャラクタの描画を含む、前記コンテンツの再生に係る処理を実行する再生手段と、
再生される前記コンテンツに係る演出を制御する演出制御手段と、
再生された前記コンテンツを提示する提示手段と、
を有し、
前記コンテンツは、演出を提供するパートとして、鑑賞位置を定めない演出を提供する第１のパートと、予め定められた鑑賞位置に対する演出を提供する第２のパートと、を少なくとも含み、
前記再生手段は、前記配信装置から開始指示が受信されたことに応じて、前記演出を提供するパートについての前記再生に係る処理を実行し、
前記演出制御手段は、前記第２のパートについて、前記設定手段により設定された鑑賞位置に対する演出を提供するよう制御し、
前記第２のパートに係る演出は、１つの前記予め定められた鑑賞位置について、該演出の提示に必要な情報が設けられており、
前記演出制御手段は、前記予め定められた鑑賞位置と前記設定手段により設定された鑑賞位置とが異なる場合に、前記設定手段により設定された鑑賞位置に対する演出となるように、前記第２のパートに係る演出の提示に必要な情報を変更する
ことを特徴とする受信装置。
【請求項１１】
配信装置により配信された、３次元空間に配置されたキャラクタを提示するコンテンツの鑑賞体験を提供する受信装置であって、
前記配信装置と情報通信する通信手段と、
前記コンテンツについて、前記３次元空間を鑑賞する鑑賞位置を設定する設定手段と、
前記設定手段により設定された鑑賞位置に基づく前記キャラクタの描画を含む、前記コンテンツの再生に係る処理を実行する再生手段と、
再生された前記コンテンツを提示する提示手段と、
を有し、
前記コンテンツは、演出を提供するパートとして、鑑賞位置を定めない演出を提供する第１のパートと、予め定められた鑑賞位置に対する演出を提供する第２のパートと、を少なくとも含み、
前記再生手段は、前記配信装置から開始指示が受信されたことに応じて、前記演出を提供するパートについての前記再生に係る処理を実行し、
前記通信手段は、
前記演出を提供するパートを含む前記再生に係る処理の実行に伴って、前記設定手段により設定された鑑賞位置の情報を前記配信装置に送信し、
第２のパートについて、前記設定手段により設定された鑑賞位置に対する演出に必要な情報を受信し、
前記再生手段は、前記第２のパートにおいて、受信された前記演出に必要な情報に基づいて前記再生に係る処理を実行し、
前記設定手段により設定される鑑賞位置は、予め設けられた複数の鑑賞位置のうちから選択されるものであり、
前記第２のパートに係る演出は、前記複数の鑑賞位置のそれぞれについて、該演出の提示に必要な情報が設けられており、
前記再生手段は、前記第２のパートにおいて、前記設定手段により設定された鑑賞位置について設けられた前記演出の提示に必要な情報に基づいて、前記コンテンツの再生に係る処理を実行する
ことを特徴とする受信装置。
【請求項１２】
配信装置により配信された、３次元空間に配置されたキャラクタを提示するコンテンツの鑑賞体験を提供する受信装置であって、
前記配信装置と情報通信する通信手段と、
前記コンテンツについて、前記３次元空間を鑑賞する鑑賞位置を設定する設定手段と、
前記設定手段により設定された鑑賞位置に基づく前記キャラクタの描画を含む、前記コンテンツの再生に係る処理を実行する再生手段と、
再生された前記コンテンツを提示する提示手段と、
を有し、
前記コンテンツは、演出を提供するパートとして、鑑賞位置を定めない演出を提供する第１のパートと、予め定められた鑑賞位置に対する演出を提供する第２のパートと、を少なくとも含み、
前記再生手段は、前記配信装置から開始指示が受信されたことに応じて、前記演出を提供するパートについての前記再生に係る処理を実行し、
前記通信手段は、
前記演出を提供するパートを含む前記再生に係る処理の実行に伴って、前記設定手段により設定された鑑賞位置の情報を前記配信装置に送信し、
第２のパートについて、前記設定手段により設定された鑑賞位置に対する演出に必要な情報を受信し、
前記再生手段は、前記第２のパートにおいて、受信された前記演出に必要な情報に基づいて前記再生に係る処理を実行し、
前記第２のパートに係る演出は、１つの前記予め定められた鑑賞位置について、該演出の提示に必要な情報が設けられており、
前記第２のパートに係る演出の提示に必要な情報は、前記予め定められた鑑賞位置と前記設定手段により設定された鑑賞位置とが異なる場合に、前記設定手段により設定された鑑賞位置に対する演出となるように変更される
ことを特徴とする受信装置。
【請求項１３】
コンピュータを、請求項９乃至１２のいずれか１項に記載の受信装置の各手段として機能させるためのプログラム。
【手続補正２】
【補正対象書類名】明細書
【補正対象項目名】０００９
【補正方法】変更
【補正の内容】
【０００９】
前述の目的を達成するために、本発明に係るコンテンツ配信システムは、３次元空間に配置されたキャラクタを提示するコンテンツを配信する配信装置と、配信されたコンテンツを受信し、該コンテンツの鑑賞体験を提供する受信装置とを有するコンテンツ配信システムであって、受信装置は、配信装置と情報通信する第１の通信手段と、コンテンツについて、３次元空間を鑑賞する鑑賞位置を設定する設定手段と、設定手段により設定された鑑賞位置に基づくキャラクタの描画を含む、コンテンツの再生に係る処理を実行する再生手段と、再生されるコンテンツに係る演出を制御する演出制御手段と、再生されたコンテンツを提示する提示手段と、を有し、配信装置は、受信装置と情報通信する第２の通信手段を有し、コンテンツは、演出を提供するパートとして、鑑賞位置を定めない演出を提供する第１のパートと、予め定められた鑑賞位置に対する演出を提供する第２のパートと、を少なくとも含み、再生手段は、配信装置から開始指示が受信されたことに応じて、演出を提供するパートについての再生に係る処理を実行し、演出制御手段は、第２のパートについて、設定手段により設定された鑑賞位置に対する演出を提供するよう制御し、設定手段により設定される鑑賞位置は、予め設けられた複数の鑑賞位置のうちから選択されるものであり、第２のパートに係る演出は、複数の鑑賞位置のそれぞれについて、該演出の提示に必要な情報が設けられており、再生手段は、第２のパートにおいて、設定手段により設定された鑑賞位置について設けられた演出の提示に必要な情報に基づいて、コンテンツの再生に係る処理を実行することを特徴とする。
【手続補正３】
【補正対象書類名】明細書
【補正対象項目名】００１０
【補正方法】変更
【補正の内容】
【００１０】
前述の目的を達成するために、本発明に係る別のコンテンツ配信システムは、３次元空間に配置されたキャラクタを提示するコンテンツを配信する配信装置と、配信されたコンテンツを受信し、該コンテンツの鑑賞体験を提供する受信装置とを有するコンテンツ配信システムであって、受信装置は、配信装置と情報通信する第１の通信手段と、コンテンツについて、３次元空間を鑑賞する鑑賞位置を設定する設定手段と、設定手段により設定された鑑賞位置に基づくキャラクタの描画を含む、コンテンツの再生に係る処理を実行する再生手段と、再生されたコンテンツを提示する提示手段と、を有し、配信装置は、受信装置において再生されるコンテンツに係る演出を制御する演出制御手段と、受信装置と情報通信し、少なくともコンテンツに係る演出の提示に必要な情報を送信する第２の通信手段と、を有し、コンテンツは、演出を提供するパートとして、鑑賞位置を定めない演出を提供する第１のパートと、予め定められた鑑賞位置に対する演出を提供する第２のパートと、を少なくとも含み、再生手段は、配信装置から開始指示が受信されたことに応じて、演出を提供するパートについての再生に係る処理を実行し、第１の通信手段は、演出を提供するパートを含む再生に係る処理の実行に伴って、設定手段により設定された鑑賞位置の情報を配信装置に送信し、演出制御手段は、第２のパートについて、設定手段により設定された鑑賞位置に対する演出を提供するよう制御し、第２のパートに係る演出は、１つの予め定められた鑑賞位置について、該演出の提示に必要な情報が設けられており、演出制御手段は、予め定められた鑑賞位置と設定手段により設定された鑑賞位置とが異なる場合に、設定手段により設定された鑑賞位置に対する演出となるように、第２のパートに係る演出の提示に必要な情報を変更することを特徴とする。